(57)【要約】  本書面に記載する本発明の目的は、軽質石油および重質石油の両方の粘度を、前記粘度を低下または増加させることにより変更するための混合物を用いる新規な方法を開示することである。本発明から導き出される方法は、周囲温度および大気圧下で有用である。本発明の活性成分はドーパミンであり、他の物質と結合して、石油の流動特性を変化させ、混合物および溶液の電荷特性を向上させ、不溶性化合物を水または水溶液中で溶解させることが可能な化合物である。本発明の混合物のいくつかはプロトンの移動を変化させるのに適用され、それにより、電荷を測定すると、特にこの目的をもたらすために選択された金属の存在により起こる著しい増加がこれらの混合物内で検出できる。本発明を導いた実験は、化学分析によりドーパミンならびにキノン、カロテンおよびテルペンなどの他の化合物を含むバナナ植物の任意部分から得られた汁が、見出された効果、特に電気特性と金属および金属化合物の溶解に対する効果の要因となることを立証した。【特許請求の範囲】
【請求項１】
重質油をより軽質の油に変換する方法であって、
原油の特性に従い試行錯誤により確立された適切な体積比もしくは重量比で、ドーパミン溶液またはドーパミン化合物を前記油に添加すること、
前記混合物を４〜５の範囲のｐＨ値まで酸化すること、
前記混合物をマグネシウムまたはカルシウムなどの二価イオンの存在下で反応させること、
必要に応じ、温度を７０℃まで昇温させることにより反応を停止させて所定の粘度を達成すること、
とからなる方法であり、
前記原油が４００ｐｐｍ以下のバナジウム含有量と１００ｐｐｍ以下のニッケル含有量を有する必要がある、方法。
【請求項２】
前記ドーパミンの含有量が１立方センチメートル当たり０〜１００ｍｇとなる必要がある請求項１記載の方法。
【請求項３】
重質油をより軽質の油に変換する方法であって、
バナナ植物の任意部分を絞って得られた部分的または完全に酸化された汁を、原油の特性に従い試行錯誤により確立された適切な体積比もしくは重量比で原油に添加すること、
中性石けんおよびチタンまたはチタン化合物の溶液を前記混合物に添加すること、ならびに
前記混合物を反応させること、
必要に応じ、温度を７０℃まで昇温させることにより反応を停止させて所定の粘度を達成すること、
とからなる方法であり、
前記原油が４００ｐｐｍ以下のバナジウム含有量と１００ｐｐｍ以下のニッケル含有量を有する必要がある、方法。
【請求項４】
前記ドーパミンが、その植物の種類により、バナナ植物の任意部分を絞って得られた前記汁中に天然に存在するドーパミンである請求項３記載の方法。
【請求項５】
バナナ植物の任意部分を絞って得られた前記汁を添加する代わりに、ドーパミンまたはその化合物を添加する請求項３記載の方法。
【請求項６】
バナナ植物の任意部分を絞って得られた前記汁を添加する代わりに、物理的または化学的手段により改変されたバナナの絞り出しを前記原油に添加する請求項３記載の方法。
【請求項７】
水上への流出油から任意のＡＰＩ度を有する油を抽出する方法であって、以下の３つの工程：
バナナ植物の任意部分を絞って得られた部分的または完全に酸化された汁、過酸化水素、最大３０重量％の濃度のエチルアルコール、および触媒として鉄、バナジウムまたはニッケルのような微量の金属を含む混合物を、前記流出物上に添加し均一に分配する工程、
前記得られた混合物を、周囲条件下で１２時間以上放置する工程、
前記水表面から得られた油スラリーを回収する工程、
を含む方法。
【請求項８】
バナナ植物の任意部分を絞って得られた前記汁の代わりに、ドーパミンまたはドーパミン化合物を添加する請求項７記載の方法。
【請求項９】
バナナ植物の任意部分を絞って得られた前記汁を含む混合物の代わりに、物理的または化学的手段により改変されたバナナの絞り出しを前記原油に添加する請求項７記載の方法。
【請求項１０】
土壌上に流出した任意のＡＰＩ度を有する原油の環境条件下での分解を促進する方法であって、以下の２つの工程：
バナナ植物の任意部分を絞って得られた部分的または完全に酸化された汁、過酸化水素、および触媒として、鉄、バナジウムまたはニッケルなどの微量の金属を含む混合物を添加し、前記土壌と均一に混合する工程、
前記原油の分解が起こる３ケ月以上の期間土壌を風化作用にさらし、前記分解期間は酸化速度を加速させる物理的または化学的手段により短縮できる工程、
二酸化炭素、水およびある種の炭素化合物などの無毒で生分解性の化合物；ならびにアルデヒド、ケトン、キノンおよびカルボン酸を含むがこれらに限定されない他の化学物質を得る工程、
を含む方法。
【請求項１１】
バナナ植物の任意部分を絞って得られた前記汁の代わりに、ドーパミンまたはドーパミン化合物を混合し添加する請求項１０記載の方法。
【請求項１２】
請求項１、２、３、４、５、６、７、８、１０および１１と流体、流体および固体、または固体との混合物。
【請求項１３】
バナナ植物の任意部分を絞って得られた部分的もしくは完全に酸化された汁、またはドーパミンを含む混合物であって、特にこれらの酸化が過酸化水素（Ｈ2０2）の添加、空気または酸素ガスの通気により達成される場合には、上述した酸化は任意の方法または任意の転化率により達成できる混合物。
【請求項１４】
ヒドロニウムイオンの移動を達成するために、珪素、マグネシウム、ホウ素またはフッ素の化合物が単独または組合せにより任意の比率で添加された請求項１２記載の混合物。
【請求項１５】
ヒドロニウムイオンの移動を引起こすためにＬｉ化合物、Ｚｎ化合物およびＳｎ化合物、または任意の他の金属化合物が添加された請求項１２記載の混合物。
【請求項１６】
原油または原油分留の任意の生成物がそれ自体または組合せにより添加された請求項１２記載の混合物。
【請求項１７】
植物性油ならびに直鎖状および／または分枝状アルコールが添加された請求項１２記載の混合物。
【請求項１８】
ドーパミンおよびその化合物を別々にまたは組合せにより固相中または流体相中に含む混合物であって、ヒドロニウムイオンの移動を起こすために、珪素合物、マグネシウム化合物、ホウ素化合物またはフッ素化合物が、組合せまたは単独で任意の比率で添加された混合物。
【請求項１９】
ドーパミンおよびその化合物を別々にまたは組合せにより固相中または流体相中に含む混合物であって、ヒドロニウムイオンの移動を起こすために、Ｌｉ化合物、Ｚｎ化合物およびＳｎ化合物が、組合せまたは単独で任意の比率で添加された混合物。
【請求項２０】
ドーパミンおよびその化合物を含む混合物であって、原油または原油分留の任意の生成物が添加された混合物。
【請求項２１】
ドーパミンおよびその化合物を別々にまたは組合せにより流体相中または固相中に含む混合物であって、金属、炭酸化合物または窒素化合物、ならびに空気または酸素および窒素などの気体が添加された混合物。
【請求項２２】
ドーパミンまたはドーパミン化合物を別々に混合するかまたは組合せて流体相中または固相中に残存するドーパミンおよびその化合物の混合物を含む混合物であって、金属、炭素化合物または窒素化合物、ならびに空気または酸素および水素などの気体が添加された混合物。
【請求項２３】
バナナ植物の任意部分を絞って得られた汁、ドーパミン混合物およびドーパミン化合物の混合物が種々の比率で形成される請求項１、２、３、４、５、６、７、８、９、１０、１１、１２、１３、１４、１５、１６、１７、１８、１９、２０、２１、２２および２３に記載の方法および混合物。
【請求項２４】
温度および圧力の種々の条件が、任意の方法および組合せにおいて有効である請求項２３に記載の方法および混合物。
【発明の詳細な説明】
【技術分野】
【０００１】
本発明は、ドーパミンおよびバナナ植物の任意部分を絞って得られた汁で構成される混合物に関する。本発明は、原油の物理的および化学的特性の改変、またエネルギーの発生、ならびに金属およびその化合物の溶解により、原油の粘度を変更するような多くの目的を達成することを意図し開発されたものである。
【０００２】
バナナ植物の任意部分を絞って得られたドーパミンを含む汁は、超酸のような挙動を示す。実験研究の過程で確認されたこの挙動は、本発明の主な特徴である。なぜなら、それにより、活性金属またはその水素化物の作用により基質の水素化または化学的還元が起こり、完全には説明されていない研究中のメカニズムにより有機化合物の酸化が起こり得るためである。
【背景技術】
【０００３】
原油の世界埋蔵量のうちの多くの割合は重質油で構成されており、この惑星全体の表面部位に瀝青砂の形態で広がっており、また深部にも広がっている。
【０００４】
原油の「重質」または「軽質」としての分類は、原油の密度の測定値、およびこの値をＡＰＩ度として知られるパラメータに導入することにより与えられる。
【０００５】
このパラメータにより、５〜１６のＡＰＩ度を有する油を重質で粘性であると分類し、３０〜５０のＡＰＩ度を有する原油を「軽質」油と分類することができる。
【０００６】
「原油を改質すること」という表現は、重質油原料から軽質油を得る方法を言及するものとして理解されるべきである。「油を改質すること」という用語は、その他の特性のいずれかまたはその範囲を変更することなく高ＡＰＩの油をより低いＡＰＩの油に変換する方法として、米国特許第６８５２２１５号に引用されている。
【０００７】
エクアドルの原油は、Ｐｕｎｇａｒａｙａｃｕ地域で見出された油のような０度よりも低い緯度に位置するＡＰＩの低い油（ＡＰＩ５度）であるか、または国の北部にある約４２度のＡＰＩを有するＡＰＩの高い軽質油である。
【先行技術文献】
【特許文献】
【０００８】
【特許文献１】米国特許第６８５２２１５号明細書
【発明の概要】
【発明が解決しようとする課題】
【０００９】
乳化、ならびに石油産業において使用される多種多様な温度および圧力下で原油を水蒸気と共に加熱することのような油を改質するいくつかの技術が、前記引用米国特許に記載されている。加工費および原油の分解のような種々の方法に対する制限、ならびに分留前の処理のために使用される化合物から原油を分離することの困難性が引用特許において議論されている。
【００１０】
温度により、例えばクラッキングやコーキングのような望ましくない反応が促進されることから、低温および高温の効果は改質方法において最も重要である。更に、高温ではある種の有用成分の分解が誘発される。このため、望ましくない反応を抑制し、改質油の元の成分を維持することが必要となる。この特許では起こる反応の選択性と収率の制御が提案されることから、これらの有害な効果のために出来るだけ低温かまたは周囲温度で改質方法を実施することが望ましい。
【００１１】
原油の回収に関連して、２５０〜６００°Ｆの全範囲に亘る高温および低温において原油を酸化する技術が、米国特許第４７７２２３９５号に包含されている。上述した特許では、低温では粘度の増加により流動性が低いことが説明されている。一方、本書面中に示す本発明においては、周囲温度下で原油が酸化される。
【００１２】
米国特許第５０２１６０７号では、酸化チタン、シリカ酸化物、アルカリ性酸化物、有機窒素含有塩基および含水塩基を含む混合物による飽和炭化水素の酸化を扱っており、これにより周囲よりもはるかに高い温度ではあるが、好ましい酸化剤が過酸化水素となっている。本書面で報告する本発明においては、酸化混合物、触媒、および開発された方法により、周囲温度および周囲圧力下での操作が可能となる。
【００１３】
線状または芳香族系の溶媒を用いてパラフィン系およびナフテン系の原油を溶解する場合には、原油の特性により前記方法の効率が決定される。一方、溶解される原油が芳香族系の化学種を多く含む場合には、それらの発ガン性、高い揮発性および低い発火点のために適用する溶媒の用途は制限される。一方、本書面で報告する本発明においては、上述したいずれの問題も生じない生分解性の流体が溶媒として使用される。
【００１４】
米国特許第５５４７５６３号には、音波振とう、テルペン（リモネン）、脂肪酸および松根油を低圧および低温下で用いることにより原油を改質する方法が提案されている。その特許には、上述した技術を適用すると、脂肪族長鎖を結びつける分子結合への攻撃に起因し得るが未知の原因により、蒸留すると軽質フラクションの急激な増加が観察されることが記載されている。この攻撃により、環（ｃｙｃｌｉｃ）および芳香環からの脂肪族化合物の分離も必然的に引き起こされ、そのため両方の場合において短鎖が生成する。
【００１５】
本明細書中で報告する本発明においては、蒸留成分の１つは有機物でもある。
【００１６】
水素化および酸化を達成するための処理がなされると炭化水素の変換が起こることは、酸触媒が原因であることが引用文献中で議論されている。
【００１７】
これに関連して、米国特許第６３５９１７９号には、固体触媒の存在下でのカルボカチオン化合物中間体の形成と共に起こるパラフィンのカルボニル化は、いわゆる「超酸」の作用によるものであり；酸化された飽和炭化水素が上述したように処理される場合に反応が進行することが示唆されている。この場合米国特許第６３５９１７９号では、固体を反応混合物から容易に分離でき、所定期間ある程度まで再利用できること；および液体触媒を使用する場合にはこのようなことは不可能であることが主張されている。
【００１８】
本明細書中で示した本発明においては、流体混合物を分離する必要がなく、それらを除去すべき場合には少量のエネルギーの使用により達成できる。
【発明を実施するための形態】
【００１９】
本発明の詳細な記載
ドーパミンの化学式は以下の通りである。
【化１】
2010518199.tif 000002
【００２０】
ドーパミンの化学名は４−（２−アミノエチル）ベンセン−１，２−ジオールである。ドーパミンは、カテコールアミンのファミリーのメンバーであり、一般に以下のように表される。
【化２】
2010518199.tif 000003
【００２１】
いくつかの研究センターは、バナナの皮には８０〜５６０ｍｇのドーパミンが含まれることを報告している。ドーパミンは酸化反応において重要な役割を果たすことが知られ、ある場合にはドーパミンは酸化剤として作用でき、他の場合には酸化防止剤として作用できることが知られている。この挙動は、ある種の環状炭素化合物；ある種のイオン；またはある種の極性化合物の存在に依存することも知られている。
【００２２】
バショウ科のバナナ植物の一部からの汁は、主に水、ホスフェート、カリウム、キニン、リグニン、およびゴム、ドーパミンで構成される複合組成物の流体である。前記汁を得るために使用される技術により、前記流体は前記植物の茎からまたは偽茎から、前記植物の元の重量の約５０％の水性液の形態で得ることができ、上記パーセンテージは、処理される前記植物の特定部分により決定される。この液体は、Ｋ、Ｎ、Ｍｎ、Ｃａ、Ｍｇ、Ｚｎ、およびＣｕを種々の比率で含有する。
【００２３】
セルロース残渣が全て分離されると、液体の色はバナナの植物の種類に左右される。ろ過されると液体は初めは均一であるが、約１５日間保管すると基本的に水、ゴムおよび塩類を含む薄茶色の蝋のような透明な液体になる。
【００２４】
ドーパミンクロルハイドレートの４０ｇ／ｌ水溶液の２立方センチメートルを、マグネシウムおよびカルシウムなどの二価イオンの存在下、ｐＨ４〜４．５において、ＡＰＩ１６度のエクアドル産原油５００立方センチメートルと接触させると、未だ完全には説明されていない酸化作用に起因して、原油の流動し易さが著しく向上することが観察される。
【００２５】
酸化効果の説明に関しては、有機化学種の酸化還元反応は、一般に金属イオンの存在下での遊離基の形成と電子移動が関与することが知られている。更に、塩化バナジウム（ＩＩ）の存在下でカルボカチオンの直接還元が起こることが観察された。本発明者らは、自動酸化の間、最初の段階においては、基質中に不飽和分子が存在する限り反応し続けるヒドロペルオキシドが必然的に形成すること、およびＲＯ2ラジカルが二重結合に付加するとある種のアルケンが自動酸化を起こすであろうことを提案する。
【００２６】
バナナ植物の任意部分を絞って得られた汁が、原油のような炭素含有化合物と接触すると、前記化合物は、周囲温度および周囲圧力下（キト市で一般的な条件：５４５ｍｍＨｇおよび１７℃）にて液相中で酸化される。この酸化は、バナジウム、チタンおよびニッケルのような金属が、バナナ植物の任意部分を絞って得られた汁の使用を含む方法により予め得ておく必要がある前記混合物中に存在する場合に達成される。酸化効果は、過酸化水素を使用する場合に高められる。
【００２７】
バナナ植物の任意部分を絞って得られた汁で得られたのと同様の効果が、ドーパミンクロルハイドレートを過酸化水素と共に使用する場合に得られる。
【００２８】
バナナ植物の任意部分を絞って得られた汁をエクアドル産の原油と接触させる場合に起こるプロトン化は、バナナ植物の任意部分を絞って得られた汁中にキノンが存在することにより一部が説明できるであろう。Ｋｕｒｓａｎｏｖら（１９８５）は、これらの事実についての説明を提示しており、それは、キノンが、リン酸存在下で安定なカルベニウムイオンを形成しつつ有機化合物の脱水素反応を引き起こすという事実であれば、可能なものである。
【化３】
2010518199.tif 000004
【００２９】
上記式において、Ｅは求電子剤であり、Ａは脱水素反応の生成物であり、［ＡＨ］+は非常に安定であり得るイオンである。
【００３０】
原油の場合には、原油中に初めから存在するバナジウムとニッケルにより可逆反応が引き起こされる。この効果に加えて、亜鉛またはスズが原油中に存在する場合には、顕著ではないが水素化物の供与が促進される。この点に関し、この挙動は、以下の４段階で起こる接触水素化の仮説（Ｋｕｒｓａｎｏｖら（１９８５））により説明することが可能である。
１．下記に示すように、基質（オレフィン）のプロトン化によるカルベニウムイオンの形成：
【化４】
2010518199.tif 000005
２．下記に示すように、水素の活性化による水素化形態の担体が形成：
【化５】
2010518199.tif 000006
３．下記に示すように、触媒の還元型からカルベニウムイオンへの水素化物イオン移動：
【化６】
2010518199.tif 000007
４．触媒の再生
【００３１】
炭化水素はエネルギー源であることに加えて、化学物質を製造するための原料であり、この目的のために膨大な知見が展開されている。この知見は多くの用途を可能とし、その圧倒的多数は反応性混合物の酸化、または酸性活性中心との接触に基づいている。
【００３２】
フッ化水素酸または硫酸の使用は環境面への配慮から推奨されないが、固体触媒、特に結晶性アルミノケイ酸塩（ゼオライト）の使用は推奨される。
【００３３】
本発明の成果の範囲内のいくつかの実験は、この観点を考慮してバナナ植物の任意部分を絞って得られた汁の酸化力を立証すること向けられ、バナナ植物の任意部分を絞って得られた汁の酸化能を立証するための実験室試験を行なった。
【００３４】
かかる実験の１つは、バナナ植物の任意部分を絞って得られた汁と５ｍｇの塩化第二鉄の混合物１００立方センチメートルを２５０ｃｃの密封瓶に装入することを必要とした。１分後、容器内に入る空気の音により、容器内が真空となったことの証拠であると考えられた。真空が予想されるよりも低い値で測定された場合には、酸素のみが消費されたことが確認された。このことは、反応中に更なるガス状の化学種が消費されたことを示した。
【００３５】
バナジウム、ニッケル、銅および白金の更なる化合物を用いて実施した同様の実験は、同様の結果を示した。
【００３６】
銀と銅；および金と銅の金属合金を、周囲温度および周囲圧力下で、過酸化水素およびバナナ植物の任意部分を絞って得られた汁の溶液中に入れた場合には、いずれの場合も、電気化学反応を行うのに使用された直流電流を測定することにより合金の溶解とプロトンの存在が立証できた。
【００３７】
これら２つの合金の内の１つを電池の電極の１つとして使用し、他方の電極を亜鉛またはグラファイトから作成した場合には、いずれの場合も電流の測定値は増加した。
【００３８】
撹拌を行わない開放容器内における、１８℃および大気圧下での、特に鉄化合物により促進された有機化合物および無機化合物の遅い酸化により、恐らく水中でプロトンが遊離可能となるであろう。これにより、容器中での前記混合物の残留時間が延びるにつれて、電流と電圧の種々の測定値の観察が可能となる。実験結果としては、１ｃｍ2の表面を有する銅と亜鉛の電極を使用すると、電流２２ｍＡと１Ｖが得られた。
【００３９】
バナナ植物の任意部分を絞って得られた汁のｐＨ値は、他の果物および野菜の汁を分析した場合に測定される値である４．５と同様である。言うまでもなく、バナナ植物の任意部分を絞って得られた汁を過酸化水素を用いて酸化する場合には（汁２０ｃｃ当たり約１滴）、デジタルマルチメーターに記録された値は、プロトンが遊離するためにおおよそ１５ｍＡであり、時間と共に減少する。
【００４０】
バナナ植物の任意部分を絞って得られた汁を、灯油またはガソリンのような線状溶媒と接触させた場合には、水と油の２相が観察できる。バナナ植物の任意部分を絞って得られた汁を、金属の存在下、周囲温度および周囲圧力下でＮｏ．６燃料油（バンカー）またはディーゼルと接触させると、前記混合物の見かけの粘度が変化し、接触時間を長くすると、徐々に固体化するクラスターが形成する。
【００４１】
軽質または重質の原油をバナナ植物の任意部分を絞って得られた酸化された汁と混合する場合、または原油をバナナ植物の任意部分を絞って得られた汁に入れる場合、および過酸化水素を添加する場合には、元の混合物よりも低い粘度を有する混合物が得られる。この効果が生じた後は、反応の可逆性のため、炭素および他の化合物への分解が観察され、バナジウム、ニッケルまたは鉄の存在により促進される。エクアドル産の原油の場合には、既に、上述した金属を含んでいるため、これらの金属を添加する必要はない。
【００４２】
観測された油の改質を保存する方法を探索するうちに、本特許の発明者は、大気温度および大気圧下で実施した場合の前述の段落に記載した反応を研究するようになった。これらの条件下において、および、バナナ植物の任意部分を絞って得られた汁は金属化合物を溶解可能であることを考慮して、種々の配合を有するこれらの化合物が、配合のうちのいくつかはまだ研究中であるが、バナナ植物の任意部分を絞って得られた汁に添加された。例えば、バナナ植物の任意部分を絞って得られた汁４０ｃｃ中に酸化チタン１グラムを溶解させるためには、溶解を２４時間で達成するために、中性石けん（Ｔｗｅｅｎ８０）２０ｃｃ、５０°Ｇａｙ  Ｌｕｓｓａｃのエタノール２０ｃｃおよびグルコース１グラムが必要であった。酸化チタンの溶解はキレートの形成を介して達成されるとの仮説が立てられ、これは本特許の請求項に記載された原油の改質で起こると考えられるメカニズムである。
【００４３】
研究された他の金属化合物は、オルトバナジン酸ナトリウムおよび塩化白金である。後者の化合物を添加すると塩素ガスが発生し、透明な溶液が残った。
【００４４】
試験は、原油とバナナ植物の任意部分を絞って得られた汁との混合物；原油とドーパミン；および原油と他の化合物について、６０℃以下の種々の温度において実施したが、周囲温度、または、約３５℃で実施した実験が数ある中で最も良い結果であった。
【００４５】
この反応の起こり易さは、重質油の粘度を低下させる場合には、原油と他の物質との迅速な混合が促進されるという事実に依存する。更に、反応の活性化定数が変化し、生成物の生成が加速される。残念なことに、酸化反応もその速度が変わり、原料の劣化を全体として抑制することが困難となる。
【００４６】
可逆性を妨害するこれらの反応の抑制を研究すると、金属触媒は恐らくキレートの形態で存在することから、温度を上げると、形成された金属触媒の不活性化が起こり得ることが見出された。抑制温度は約７０℃と判明し、反応時間は反応体積と関連する。
【００４７】
本技術は、実験室レベルでは、このスケールでは熱伝達が複雑ではないため、簡単であるが、より大きなスケールでは、前記混合物の熱伝達係数の値を変化させる未知のガスが生成するため複雑であろうし、完全に明確にされていない。
【００４８】
バナナ植物の任意部分を絞って得られた汁の固体含有量は、部分真空下で実施した水の蒸発により増加し、これにより種々のコンシステンシーの半固体生成物が得られる。乾燥した生成物を原油に添加することは困難であり、半固体生成物は原油により添加し易いが、これらはいずれも、原油の粘度の低下または増加においては、バナナ植物の任意部分を絞って得られた未処理の汁よりも効果的である。一方、特に半固体生成物が予め過酸化水素で処理された場合には、半固体生成物は原油流出物の封じ込めに非常に効果的である。
【００４９】
現在本特許の内容に関連し、種々の固体マトリクス上にドーパミンをトラップし、触媒の再使用を可能とすることを対象とした研究を実施している。
【００５０】
大豆およびパーム油、および他の脂肪酸について、ならびにケトンについての試験の過程においては、それらの物理的、化学的および電気的特性の変化がみとめられた。
【実施例】
【００５１】
実施例１
とりわけバナナ植物の任意部分から得られたバナナの汁を含む流体中に電気エネルギーが発生することを証明するための手順。
ａ）バナナ植物の任意部分から得られた汁１００ｍｌをビーカー内に入れる。
ｂ）過酸化水素０．５ｃｃを小さな容器に入れる。
ｃ）（ａ）と（ｂ）に記載された流体を混合し、３０秒間撹拌する。
ｄ）工程（ｃ）で得られた前記混合物中に、いずれも１ｃｍ2の面積を有する１つの亜鉛電極と１つの銅電極を沈め、それらを１ｍｍ離して設置する。
ｅ）デジタルマルチメーターを用いて発生した電流と電圧を測定し、得られた値が１５ｍＡと１Ｖ付近の直流であるべきことを確認する。
【００５２】
上述した実験において、電極間の間隔を変化させると種々の値の電流と電圧を得ることができる。
【００５３】
実施例２
とりわけバナナ植物の任意部分から得られたバナナの汁を含む流体中に電気エネルギーが発生することを証明するための手順。
ａ）前記植物の茎から得られたバナナの汁１００ｍｌをビーカー内に入れる。
ｂ）Ａ１2Ｏ3の２０ｍｇを化学天秤で秤量する。
ｃ）水素化アルミニウムリチウム（Ｌｉ  Ａｌ  Ｈ4）５ｍｇを分析用スケールで秤量する。
ｄ）（ａ）と（ｂ）を撹拌下で１分間混合する。
ｅ）（ｄ）と（ｃ）を混合する。１分間撹拌する。
ｆ）工程（ｅ）で得られた前記混合物中に、いずれも１ｃｍ2の面積を有する１つの亜鉛電極と１つの銅電極を沈め、それらを１ｍｍ離して設置する。
ｇ）デジタルマルチメーターを用いて発生した電流と電圧を測定し、得られた値が８ｍＡと０．６Ｖ付近の直流であるべきことを確認する。
【００５４】
上述した実験において、電極間の間隔を変化させると、種々の値の電流と電圧を得ることができる。
実施例３
【００５５】
本実施例は、１６度のＡＰＩを有する原油の物理的および化学的特性を変化させるのに使用される実験室スケールでの手順についての詳細な情報を提示するものである。本実施例は、流出油の場合に生じる水の混入に対する解決策の一部を本発明が可能とする方法についての考えを提供するものである。流出油のＡＰＩ度に従って前記手順のわずかな調整を実施すべきである。
【００５６】
実験を実施する前に、「粘度向上剤」と称されるべき混合物Ａを以下の方法により調製した。
ａ）バナナ植物の任意部分から得られたバナナの汁８４．５ｃｃを測り、ビーカー内に入れる。
ｂ）エチルアルコール２５ｃｃを測り、ビーカー内に入れる。
ｃ）過酸化水素０．５ｃｃを測る。
ｄ）（ａ）と（ｂ）を混合し、３０秒間撹拌する。
ｅ）（ｃ）と（ｄ）を添加し、３０秒間撹拌する。
ｆ）酸化鉄（Ｆｅ2０3）０．１ｇを（ｅ）で得られた前記混合物に添加し、１分間撹拌する。
【００５７】
実験を継続するために、水層と原油層の厚さ、ならびに最終的に存在するデカントされた固体を比較しつつ評価するのに適切な深いガラストレイを使用すべきである。
ａ）ガラストレイ上に水を１０ｃｍの高さまで入れる。
ｂ）原油を水上に入れ、約２または３ｍｍ厚の層を得る。
ｃ）存在する原油の１０％にほぼ等しい量の「粘度向上剤」混合物をトレイに添加し、スパチュラを用いてこれを均等に分配する。
ｄ）ガラストレイ内の流体を約８時間放置するか、または約４時間に時間を短縮するために機械的に撹拌する。
ｅ）（ｄ）で説明したように、一旦反応が起こるとドロドロの上澄み懸濁液を水表面上に見出すことができ、この懸濁液は水と混合しないため消失することなく物理的手段により回収することができる。
【００５８】
「粘度向上剤」を用い、より多量の水および流出原油を用いてパイロットスケールでの実験を実施する場合には、油のＡＰＩに拘らず、または油は空気と長期間接触すると「老化する」場合があるという事実にも拘らず、所定時間後に原油の物理的特性の変化を肉眼で気付くことができる。
【００５９】
地表上の流出物の場合には、土壌の洗浄は、短期間および中程度の期間では不可能ではないにしても非常に困難で複雑である。この問題を解決するために現在の技術では多くの種々の代替法が提案されているが、これらのうちのいくつかは原油の分解を含んでいる。最も認められた技術は、言うまでもなく、汚染した土壌を汚染物の分解に特化した微生物の作用に供するというものである。これらの技術は許容できるが、非常に遅くまた有効である。
【００６０】
「粘度向上剤」は微生物により容易に代謝され得る炭素を多く含む基質の供給源として作用するため、本特許により開発された「粘度向上剤」を使用することにより、上述した技術、および通常原油の加速された分解を必要とする他の技術を成功させ得る。
【００６１】
実施例４
本実施例では、本発明の２つの特徴が例証される：先ず第一に、１６度のＡＰＩを有する原油の物理的および化学的特性を変化させるのに使用する手順であり；第ニには、オルトバナジン酸ナトリウムの水中での溶解である。
【００６２】
前記手順を実施する前に、「粘度低下剤混合物」と称される混合物Ｂを以下の方法で調製する必要がある：
ａ）バナナ植物の茎から採ったバナナの汁４０ｃｃを測る。
ｂ）Ｔｗｅｅｎ８０の２０ｃｃを測る。
ｃ）５０°Ｇａｙ  Ｌｏｕｓａｃのエチルアルコール２０ｃｃを測る。
ｄ）酸化チタン１ｇを秤量する。
ｅ）工業用グレードのグルコース１グラムを精密天秤で秤量する。
ｆ）オルトバナジン酸ナトリウム１ｇを精密天秤で秤量する。
ｇ）（ｂ）と（ｃ）を混合する。混合物が均一となるまで２〜３分間撹拌する。
ｈ）（ａ）と（ｇ）を混合する。均一な外観が達成されるまで、前記混合物を２分間撹拌する。
ｉ）（ｈ）、（ｄ）および（ｆ）を混合する。３分間強力に撹拌する。
ｊ）（ｉ）で得られた前記混合物を、開放容器中、周囲温度で２４時間放置する。上述した時間間隔の後、本手順の間に使用した不溶性化合物が溶解することに気付き得るであろう。
【００６３】
上述したものとは異なるＡＰＩグレードを有する所定量の油の処理に必要とされる「粘度低下剤混合物」の量は、試行錯誤により定める必要がある。効を奏するためには、元のＡＰＩグレードに対し約５単位分の増加が得られるべきである。
【００６４】
典型的な油の改質実験のための手順を以下に記載する：
ａ）原油１００ｃｃを測る。
ｂ）ＡＰＩグレードを決定する。
ｃ）「粘度低下剤混合物」３０ｃｃを原油に添加する。
ｄ）激しく撹拌する。
ｅ）蒸留水１０ｃｃを添加する。
ｆ）最終的なＡＰＩグレードを測定する。
参考文献：
【表１】
2010518199.tif 000008
【国際調査報告】
2010518199.tif 000009
2010518199.tif 000010
2010518199.tif 000011
2010518199.tif 000012
2010518199.tif 000013
2010518199.tif 000014